【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
モバイルデバイスにおいて、
第１のオケージョン中に基地局から送信された第１の測位基準信号（ＰＲＳ）バーストを収集することと、
第２のオケージョン中に前記基地局から送信された第２のＰＲＳバーストを収集することと、
１つまたは複数の性能基準に少なくとも部分的に基づいて、測位動作において使用するために前記第１の収集されたＰＲＳバーストと前記第２の収集されたＰＲＳバーストとの間で選択することと
を備える方法。
【手続補正２】
【補正対象書類名】明細書
【補正対象項目名】００８２
【補正方法】変更
【補正の内容】
【００８２】
[0081]現在例示的な特徴と考えられることについて例示し説明したが、請求する主題から逸脱することなく、様々な他の変更が行われ得、均等物が代用され得ることが、当業者には理解されよう。さらに、本明細書に記載の中心概念から逸脱することなく、請求する主題の教示に特定の状況を適合させるために多くの変更を行い得る。したがって、請求する主題は、開示された特定の例に限定されず、そのような請求する主題はまた、添付の特許請求の範囲内に入るすべての態様とそれらの均等物とを含み得るものとする。
以下に、本願の出願当初の特許請求の範囲に記載された発明を付記する。
［Ｃ１］
モバイルデバイスにおいて、
第１のオケージョン中に基地局から送信された第１の測位基準信号（ＰＲＳ）バーストを収集することと、
第２のオケージョン中に前記基地局から送信された第２のＰＲＳバーストを収集することと、
１つまたは複数の性能基準に少なくとも部分的に基づいて、測位動作において使用するために前記第１の収集されたＰＲＳバーストと前記第２の収集されたＰＲＳバーストとの間で選択することと
を備える方法。
［Ｃ２］
前記１つまたは複数の性能基準が、少なくとも信号対雑音比を備える、Ｃ１に記載の方法。
［Ｃ３］
前記１つまたは複数の性能基準が、少なくとも最良の確定された相関ピークを備える、Ｃ１に記載の方法。
［Ｃ４］
前記最良の確定された相関ピークが時間領域においてまたは周波数領域において測定される、Ｃ３に記載の方法。
［Ｃ５］
前記１つまたは複数の性能基準が、少なくとも、前記最良の確定された相関ピークの幅と公称相関ピーク幅との比較を備える、Ｃ３に記載の方法。
［Ｃ６］
前記選択することが、
前記収集された第２のＰＲＳバースト中で検出された１つまたは複数のシンボルを、前記第１の収集されたＰＲＳバースト中で検出された１つまたは複数のシンボルと比較すること
をさらに備える、Ｃ１に記載の方法。
［Ｃ７］
前記比較することは、
前記第２の収集されたＰＲＳバースト中で検出された前記１つまたは複数のシンボルが、前記第１の収集されたＰＲＳバースト中で検出された前記１つまたは複数のシンボルとは異なる極性のものであるかどうかを決定すること
を備える、Ｃ６に記載の方法。
［Ｃ８］
前記１つまたは複数の性能基準のうちの第１の性能基準を備える前記第１の収集されたＰＲＳバーストに少なくとも部分的に基づいて、前記第１の収集されたＰＲＳバーストを、前記第１のオケージョン中に送信されたものとして指定することと、
前記第１の性能基準とは異なる前記１つまたは複数の性能基準のうちの第２を備える前記第２の収集されたＰＲＳバーストに少なくとも部分的に基づいて、前記第２の収集されたＰＲＳバーストを、前記第２のオケージョン中に送信されたものとして指定することと、
をさらに備える、Ｃ１に記載の方法。
［Ｃ９］
メモリデバイスに、基地局が異なるオケージョン中に異なるＰＲＳバーストを送信するかどうかを識別するための１つまたは複数のインジケータを記憶すること
をさらに備える、Ｃ１に記載の方法。
［Ｃ１０］
通信チャネルから信号を受信するための受信機と、
第１のオケージョン中に前記受信機において受信された、基地局から送信された第１の測位基準信号（ＰＲＳ）バーストを収集することと、
第２のオケージョン中に前記基地局から送信された第２のＰＲＳバーストを収集することと、
１つまたは複数の性能基準に少なくとも部分的に基づいて、測位動作において使用するために前記第１の収集されたＰＲＳバーストと前記第２の収集されたＰＲＳバーストとの間で選択することと
を行うための、前記受信機に結合された１つまたは複数のプロセッサと
を備える、モバイルデバイス。
［Ｃ１１］
前記１つまたは複数のプロセッサが、
前記第１および前記第２の収集されたＰＲＳバーストの信号対雑音を備える前記１つまたは複数の性能基準に少なくとも部分的に基づいて、前記第１の収集されたＰＲＳバーストと前記第２の収集されたＰＲＳバーストとの間で選択すること
をさらに行うためのものである、Ｃ１０に記載のモバイルデバイス。
［Ｃ１２］
前記１つまたは複数のプロセッサが、
前記第１および前記第２の収集されたＰＲＳバーストの最良の確定された相関ピークを備える前記１つまたは複数の性能基準に少なくとも部分的に基づいて、前記第１の収集されたＰＲＳバーストと前記第２の収集されたＰＲＳバーストとの間で選択することをさらに行うためのものである、Ｃ１０に記載のモバイルデバイス。
［Ｃ１３］
前記１つまたは複数のプロセッサが、
時間領域においてまたは周波数領域において、前記最良の確定された相関ピークを計算すること
をさらに行うためのものである、Ｃ１２に記載のモバイルデバイス。
［Ｃ１４］
前記１つまたは複数のプロセッサが、
測定された相関ピーク幅と公称相関ピーク幅との比較に少なくとも部分的に基づいて、前記第１の収集されたＰＲＳバーストと前記第２の収集されたＰＲＳバーストとの間で選択すること
をさらに行うためのものである、Ｃ１０に記載のモバイルデバイス。
［Ｃ１５］
前記１つまたは複数のプロセッサが、
前記第２の収集されたＰＲＳバースト中で検出された１つまたは複数のシンボルを、前記第１の収集されたＰＲＳバースト中で検出された１つまたは複数のシンボルと比較すること
をさらに行うためのものである、Ｃ１０に記載のモバイルデバイス。
［Ｃ１６］
前記１つまたは複数のプロセッサは、
前記第２の収集されたＰＲＳバースト中で検出された前記１つまたは複数のシンボルが、前記第１の収集されたＰＲＳバースト中で検出された前記１つまたは複数のシンボルとは異なる極性のものであるかどうかを決定すること
をさらに行うためのものである、Ｃ１５に記載のモバイルデバイス。
［Ｃ１７］
前記１つまたは複数のプロセッサが、
前記１つまたは複数の性能基準のうちの第１の性能基準を備える前記第１の収集されたＰＲＳバーストに少なくとも部分的に基づいて、前記第１の収集されたＰＲＳバーストを、第１のタイプのオケージョン中に送信されたものとして指定することと、
前記第１の性能基準とは異なる前記１つまたは複数の性能基準のうちの第２を備える前記第２の収集されたＰＲＳバーストに少なくとも部分的に基づいて、前記第２の収集されたＰＲＳバーストを、第２のタイプのオケージョン中に送信されたものとして指定することと
をさらに行うためのものである、Ｃ１０に記載のモバイルデバイス。
［Ｃ１８］
前記１つまたは複数のプロセッサは、
メモリデバイスに、基地局が異なるオケージョン中に異なるＰＲＳバーストを送信するかどうかを識別するための１つまたは複数のインジケータを記憶すること
をさらに行うためのものである、Ｃ１０に記載のモバイルデバイス。
［Ｃ１９］
第１のオケージョン中に基地局から送信された第１の測位基準信号（ＰＲＳ）バーストを収集することと、
第２のオケージョン中に前記基地局から送信された第２のＰＲＳバーストを収集することと、
１つまたは複数の性能基準に少なくとも部分的に基づいて、測位動作において使用するために前記第１の収集されたＰＲＳバーストと前記第２の収集されたＰＲＳバーストとの間で選択することと
を行うためにモバイルデバイスの１つまたは複数のプロセッサによって実行可能である、その上に記憶された機械可読命令を備える記憶媒体
を備える物品。
［Ｃ２０］
前記モバイルデバイスの１つまたは複数のプロセッサによって実行可能である、その上に記憶された機械可読命令を備える前記記憶媒体が、
前記第１および前記第２の収集されたＰＲＳバーストの信号対雑音を備える前記１つまたは複数の性能基準に少なくとも部分的に基づいて、前記第１の収集されたＰＲＳバーストと前記第２の収集されたＰＲＳバーストとの間で選択すること
をさらに行うためのものである、Ｃ１９に記載の物品。
［Ｃ２１］
前記モバイルデバイスの１つまたは複数のプロセッサによって実行可能である、その上に記憶された機械可読命令を備える前記記憶媒体が、
前記第１および前記第２の収集されたＰＲＳバーストの最良の確定された相関ピークを備える前記１つまたは複数の性能基準に少なくとも部分的に基づいて、前記第１の収集されたＰＲＳバーストと前記第２の収集されたＰＲＳバーストとの間で選択することをさらに行うためのものである、Ｃ１９に記載の物品。
［Ｃ２２］
前記モバイルデバイスの１つまたは複数のプロセッサによって実行可能である、その上に記憶された機械可読命令を備える前記記憶媒体が、
時間領域においてまたは周波数領域において、前記最良の確定された相関ピークを計算すること
をさらに行うためのものである、Ｃ２１に記載の物品。
［Ｃ２３］
前記モバイルデバイスの１つまたは複数のプロセッサによって実行可能である、その上に記憶された機械可読命令を備える前記記憶媒体が、
測定された相関ピーク幅と公称相関ピーク幅との比較に少なくとも部分的に基づいて、前記第１の収集されたＰＲＳバーストと前記第２の収集されたＰＲＳバーストとの間で選択すること
をさらに行うためのものである、Ｃ１９に記載の物品。
［Ｃ２４］
前記モバイルデバイスの１つまたは複数のプロセッサによって実行可能である、その上に記憶された機械可読命令を備える前記記憶媒体が、
前記１つまたは複数の性能基準のうちの第１の性能基準を備える前記第１の収集されたＰＲＳバーストに少なくとも部分的に基づいて、前記第１の収集されたＰＲＳバーストを、第１のタイプのオケージョン中に送信されたものとして指定することと、
前記第１の性能基準とは異なる前記１つまたは複数の性能基準のうちの第２を備える前記第２の収集されたＰＲＳバーストに少なくとも部分的に基づいて、前記第２の収集されたＰＲＳバーストを、第２のタイプのオケージョン中に送信されたものとして指定することと
をさらに行うためのものである、Ｃ１９に記載の物品。
［Ｃ２５］
前記モバイルデバイスの１つまたは複数のプロセッサによって実行可能である、その上に記憶された機械可読命令を備える前記記憶媒体が、
メモリデバイスに、基地局が異なるオケージョン中に異なるＰＲＳバーストを送信するかどうかを識別するための１つまたは複数のインジケータを記憶すること
をさらに行うためのものである、Ｃ１９に記載の物品。
［Ｃ２６］
第１のオケージョン中に基地局から送信された第１の測位基準信号（ＰＲＳ）バーストを収集するための手段と、
第２のオケージョン中に前記基地局から送信された第２のＰＲＳバーストを収集するための手段と、
１つまたは複数の性能基準に少なくとも部分的に基づいて、測位動作において使用するために前記第１の収集されたＰＲＳバーストと前記第２の収集されたＰＲＳバーストとの間で選択するための手段と
を備える、モバイルデバイス。
［Ｃ２７］
前記第１の収集されたＰＲＳバーストおよび前記第２の収集されたＰＲＳバーストの信号対雑音比を計算するための手段
をさらに備える、Ｃ２６に記載のモバイルデバイス。
［Ｃ２８］
前記第１の収集されたＰＲＳバーストおよび前記第２の収集されたＰＲＳバーストの最良の確定された相関ピークを計算するための手段
をさらに備える、Ｃ２６に記載のモバイルデバイス。
［Ｃ２９］
前記第２の収集されたＰＲＳバースト中で検出された１つまたは複数のシンボルが、前記第１の収集されたＰＲＳバースト中で検出された１つまたは複数のシンボルとは異なる極性のものであるかどうかを決定するための手段
をさらに備える、Ｃ２６に記載のモバイルデバイス。
［Ｃ３０］
前記１つまたは複数の性能基準のうちの第１の性能基準を備える前記第１の収集されたＰＲＳバーストに少なくとも部分的に基づいて、前記第１の収集されたＰＲＳバーストを、第１のタイプのオケージョン中に送信されたものとして指定するための手段と、
前記第１の性能基準とは異なる前記１つまたは複数の性能基準のうちの第２を備える前記第２の収集されたＰＲＳバーストに少なくとも部分的に基づいて、前記第２の収集されたＰＲＳバーストを、第２のタイプのオケージョン中に送信されたものとして指定するための手段と
をさらに備える、Ｃ２６に記載のモバイルデバイス。